(57)【特許請求の範囲】
【請求項１】
天井を有する構造物内に配置された保護対象物を保護する養生シートを設置する養生シート設置器具であって、
天井に対して接近又は離隔することが可能に構成された複数の可動支柱を有する複数の支柱本体と、
前記各支柱本体が有する可動支柱、及び当該支柱本体とは異なる他の前記支柱本体が有する可動支柱の先端部に支持された保持部材と、
隣り合う前記支柱本体を連結する補強部材とを備え、
前記保持部材は、前記養生シートの一端を保持し、
前記可動支柱は、前記養生シートを保持した前記保持部材を天井に接触させた状態で固定可能であり、
前記補強部材は、前記支柱本体を中心として回動可能となるように前記支柱本体に接続されている
ことを特徴とする養生シート設置器具。
【請求項２】
請求項１に記載する養生シート設置器具において、
前記各可動支柱は、個別に天井に対して接近又は離隔することが可能である
ことを特徴とする養生シート設置器具。
【請求項３】
請求項１又は請求項２に記載する養生シート設置器具において、
前記補強部材は、水平方向に配設される水平部材と、該水平部材に交差する垂直部材とが格子状に連結されたものであり、
前記水平部材は、前記支柱本体を中心として回動可能となるように前記支柱本体に接続されている
ことを特徴とする養生シート設置器具。
【請求項４】
請求項３に記載する養生シート設置器具において、
一端が前記水平部材に接続され、他端が前記保持部材に接続される伸縮自在な昇降部材を備える
ことを特徴とする養生シート設置器具。
【請求項５】
請求項１〜請求項４の何れか一項に記載する養生シート設置器具において、
前記支柱本体の間隔に合わせた幅の養生シートが巻回され、回動可能なシート供給装置を備え、
前記シート供給装置は、前記養生シートの一端を保持した前記保持部材が天井方向に接近するに伴い回動して養生シートを供給する
ことを特徴とする養生シート設置器具。
【発明の詳細な説明】
【技術分野】
【０００１】
本発明は、保護対象の配置や天井面に段差があっても柔軟に対応でき、また、簡易に設置することができる養生シート設置器具に関する。
【背景技術】
【０００２】
建築設備を含めた建築物の改修工事等においては、既設機器・設備や建物仕上げ材・什器類を事前に養生したり、それらの設備等と作業する領域とを区画することが不可欠である。
【０００３】
従来では、それらの設備等を養生シートで囲うことで養生や作業区画を行っている（例えば、特許文献１及び特許文献２参照）。特許文献１には、磁石、吸盤、フック等により天井から床まで吊り下げられる養生シートが開示されている。このように養生シートを設置することで塵埃が室内に飛散することを防止している。
【０００４】
また、特許文献２には、立設した伸縮自在棒の先端に取り付けられた水平のランナーと、スポンジとでシート材の一端を挟持し、そのスポンジを天井面に接触させる防塵シートが開示されている。このような防塵シートによれば、伸縮自在棒を操作して天井から隙間なく防塵シートを設置し、設備等を塵埃から保護することができる。
【０００５】
しかしながら、特許文献１に係る養生シートにおいては、脚立などの足場を用いて天井に養生シートを取り付けなければならず、取り付けに時間や手間を費やしてしまう。また、制御機器などが置かれた場所では、これらの機器が近接し、また狭い場所で作業をする場合もある。このような場合では、脚立などを用いるスペースが確保できない虞もあるし、それらの機器に損傷を与えてしまう虞もある。
【０００６】
また、特許文献２に係る防塵シートにおいては、防塵シートで囲む領域がランナーの形状に左右されてしまう。すなわち、ランナーが直線状であるため、これに吊り下げられるシートも平面状にならざるをえない。例えば、既設設備等の形状や通路に合わせて折り曲げて防塵シートを配置することができない。
【０００７】
なお、特許文献２では、防塵シートを保持する１本のランナー（保持部材に相当）を２本の支柱間で保持する。したがって、２本の支柱と１本のランナーからなる一組を複数組並べることで、養生シートを折り曲げて配置することも可能ではある。しかしながら、隣り合う各組の間では、各組に属する支柱同士が隣接して配置されることになる。このため、必要な支柱の本数が増えてしまうし、支柱を配置するためのスペースも多く必要となる。
【先行技術文献】
【特許文献】
【０００８】
【特許文献１】特開２０１１−２３６６２６号公報
【特許文献２】特許第４２１７９８３号公報
【発明の概要】
【発明が解決しようとする課題】
【０００９】
本発明は、このような事情に鑑み、脚立などの足場を要さず、保護対象物や作業領域の形状に合わせてこれらを保護するように養生シートを設置することができる養生シート設置器具を提供することを目的とする。
【課題を解決するための手段】
【００１０】
上記目的を達成するための第１の態様は、天井を有する構造物内に配置された保護対象物を保護する養生シートを設置する養生シート設置器具であって、天井に対して接近又は離隔することが可能に構成された複数の可動支柱を有する複数の支柱本体と、前記各支柱本体が有する可動支柱、及び当該支柱本体とは異なる他の前記支柱本体が有する可動支柱の先端部に支持された保持部材と、隣り合う前記支柱本体を連結する補強部材とを備え、前記保持部材は、前記養生シートの一端を保持し、前記可動支柱は、前記養生シートを保持した前記保持部材を天井に接触させた状態で固定可能であり、前記補強部材は、前記支柱本体を中心として回動可能となるように前記支柱本体に接続されていることを特徴とする養生シート設置器具にある。
【００１１】
かかる第１の態様では、保護対象の形状、配置など、様々な状況に対応して養生シートを折り曲げて設置することができる。また、可動支柱を伸張することで養生シートを保持した保持部材を天井に到達させることができる。すなわち、脚立などの器具を用いることなく、天井まで養生シートを設置させることができ、養生シートの取り付けに掛かる時間や手間を低減することができる。
さらに、補強部材を設けることで支柱本体を安定的に設置することができる。また、養生シートを作業員や工具等などから保護することができ、養生シートの損傷を防ぐことができる。
【００１２】
本発明の第２の態様は、第１の態様に記載する養生シート設置器具において、前記各可動支柱は、個別に天井に対して接近又は離隔することが可能であることを特徴とする養生シート設置器具にある。
【００１３】
かかる第２の態様では、天井に段差がある場合でも、段差がある天井面にそれぞれ保持部材を接触させ、養生シートを設置することができる。
【００１６】
本発明の第３の態様は、第１又は第２の態様に記載する養生シート設置器具において、前記補強部材は、水平方向に配設される水平部材と、該水平部材に交差する垂直部材とが格子状に連結されたものであり、前記水平部材は、前記支柱本体を中心として回動可能となるように前記支柱本体に接続されていることを特徴とする養生シート設置器具にある。
【００１７】
かかる第３の態様では、補強部材の強度を高めることができる。
【００１８】
本発明の第４の態様は、第３の態様に記載する養生シート設置器具において、一端が前記水平部材に接続され、他端が前記保持部材に接続される伸縮自在な昇降部材を備えることを特徴とする養生シート設置器具にある。
【００１９】
かかる第４の態様では、保持部材をより容易に天井面に接触させることができる。
【００２０】
本発明の第５の態様は、第１〜第４の何れか一つの態様に記載する養生シート設置器具において、前記支柱本体の間隔に合わせた幅の養生シートが巻回され、回動可能なシート供給装置を備え、前記シート供給装置は、前記養生シートの一端を保持した前記保持部材が天井方向に接近するに伴い回動して養生シートを供給することを特徴とする養生シート設置器具にある。
【００２１】
かかる第５の態様では、養生シートを容易に保持部材に取り付けることができる。
【発明の効果】
【００２２】
本発明によれば、脚立などの足場を要さず、保護対象物や作業領域の形状に合わせてこれらを保護するように養生シートを設置することができる養生シート設置器具が提供される。
【図面の簡単な説明】
【００２３】
【図１】本実施形態に係る養生シート設置器具の概略構成図である。
【図２】可動支柱を有する支柱本体の縦断面図である。
【図３】支柱本体の接続部の正面図及び断面図である。
【図４】補強部材を分解した正面図及び補強部材の要部の正面図である。
【図５】支柱本体及び補強部材の上面図及びその断面図である。
【図６】可動支柱に取り付けられる保持部材の概略斜視図である。
【図７】養生シートを保持する保持部材の側面図である。
【図８】昇降部材の側面図である。
【図９】養生シートを供給するシート供給装置の側面図である。
【図１０】構造物内における保護対象と養生シート設置器具の上面図である。
【図１１】養生シート設置器具の斜視図である。
【発明を実施するための形態】
【００２４】
以下、本発明を実施形態に基づいて詳細に説明する。図１は、本実施形態に係る養生シート設置器具の概略構成図である。
【００２５】
養生シート設置器具１は、天井（図示せず）を有する構造物内において、保護対象１００と、作業等を行う領域（図面の養生シート設置器具１より手前側）とを区画するように養生シート４０を設置するためのものである。保護対象１００としては、既設機器・設備や建物仕上げ材・什器類などが挙げられる。
【００２６】
また、詳細は後述するが、養生シート設置器具１は、保護対象１００の形状や通路などに合わせて折り曲げて養生シート４０を配置することができる。図に示した例では、中央に示した養生シート４０は保護対象１００の前面を保護し、別の養生シート４０が右奥に向かって折れ曲がり、保護対象１００の右側面を保護している。このように、養生シート設置器具１は、保護対象１００や作業領域の形状に合わせ、これらを保護するように養生シート４０を設置することが可能となっている。
【００２７】
養生シート設置器具１は、複数（同図では３本）の支柱本体１０を備えている。各支柱本体１０は、複数の可動支柱２０（同図では２本）を有している。なお、各支柱本体１０を区別して説明するときは、支柱本体１０Ａ、１０Ｂ、１０Ｃと称する。
【００２８】
可動支柱２０は、支柱本体１０に取り付けられた状態で、天井に対して接近（図の上方）又は離隔（図の下方）に移動自在となっている。
【００２９】
また、支柱本体１０が有する一本の可動支柱２０、及び他の支柱本体１０が有する一本の可動支柱２０の先端部には、保持部材３０が支持されている。例えば、隣り合う一組の支柱本体１０Ａと支柱本体１０Ｂについては、支柱本体１０Ａの一本の可動支柱２０、及び支柱本体１０Ｂの一本の可動支柱２０の先端部に保持部材３０が保持されている。支柱本体１０Ｂと支柱本体１０Ｃとの間も同様である。
【００３０】
保持部材３０は、養生シート４０（図のハッチが施された部分）の上端側を保持している。保持部材３０は、天井面に接触しており、養生シート４０が天井から床まで達するように養生シート４０を吊り下げている。
【００３１】
各支柱本体１０の間には、一組の支柱本体１０を連結する格子状の補強部材５０が設けられている。補強部材５０を設けることで、支柱本体１０を安定的に床などに設置することができる。また、補強部材５０は、養生シート４０よりも図面手前側に配置されている。すなわち、補強部材５０は、最も作業領域よりに配置されている。このような配置とすることで、作業員や工具等が養生シート４０に触れる可能性を低減することができる。
【００３２】
なお、補強部材５０は、このような格子状の形状に限定されず、各支柱本体１０を連結する部材であれば任意の形状でよい。例えば、棒状の水平部材５１だけで各支柱本体１０を連結してもよいし、板状の部材で各支柱本体１０を連結してもよい。
【００３３】
保持部材３０と補強部材５０との間には、昇降部材６０が設けられている。昇降部材６０は、長さ調節が可能な棒状の部材であり、下側端部は、補強部材５０の水平部材５１に接続されている。昇降部材６０の上側端部は、保持部材３０に接続されている。このような昇降部材６０を用いて、保持部材３０を天井面に接触させたり、その状態から戻すことができる。昇降部材６０の詳細については後述する。
【００３４】
養生シート４０は、シート状のものであり、特に材質や形状に限定はないが、例えば、ポリエチレンフィルムを用いることが好ましい。養生シート４０は、上端側が保持部材３０に保持されている。養生シート４０の長さは、下端側が床に達するか、床にテープなどで固定できる程度とすることが好ましい。
【００３５】
養生シート４０の幅は、２つの支柱本体１０の間隔と同程度とすることが好ましい。２つの支柱本体１０につき１枚の養生シート４０を取り付けることになるため、作業を行いやすいからである。ただし、養生シート４０は、複数の支柱本体１０の間に亘る幅としてもよい。すなわち、１枚の養生シート４０を３本以上の支柱本体１０に亘り取り付けられるような幅としてもよい。
【００３６】
養生シート４０を設置することで、保護対象１００が設置された構造物内において作業等をする際に、塵埃や塗料などが保護対象１００に付着することが防止される。また、作業員や工具等が物理的に保護対象１００に接触して傷つけることも防止される。
【００３７】
以下、各部材の構成について詳細に説明する。
【００３８】
図２は、可動支柱を有する支柱本体の縦断面図である。支柱本体１０は、台座部１１の上に設けられた円筒状の筒部１２を有している。筒部１２の上面には、各可動支柱２０が挿通する開口部１３が形成されている。また、筒部１２内には、２本の可動支柱２０が収納されている。
【００３９】
可動支柱２０は、支柱本体１０の筒部１２よりも長く形成されており、各可動支柱２０の一部が開口部１３から露出している。各可動支柱２０は、天井９０に対して接近又は離隔するように移動可能となっている。なお、可動支柱２０は、伸縮自在に形成された部材であってもよい。可動支柱２０が伸縮することで天井９０に対して接近又は離隔することが可能だからである。
【００４０】
また、支柱本体１０の側面には、固定ネジ１４が取り付けられる雌ネジ（図示せず）が設けられている。雌ネジに取り付けられた固定ネジ１４は、可動支柱２０の側面を押圧することが可能となっている。固定ネジ１４に押圧されることで、可動支柱２０の移動が規制され、可動支柱２０の位置を固定することができる。なお、２本の可動支柱２０は、それぞれ異なる位置で固定することが可能である。
【００４１】
このような構成の支柱本体１０及び可動支柱２０によれば、可動支柱２０を支柱本体１０から引き出して天井９０側に伸ばし、固定ネジ１４により固定することで、その状態を維持することができる。
【００４２】
また、支柱本体１０には、補強部材５０を接続する接続部１５が設けられている。図３（ａ）は接続部の正面図、図３（ｂ）は図３（ａ）のＡ−Ａ線断面図、図３（ｃ）は図３（ａ）のＢ−Ｂ線断面図である。
【００４３】
図３（ａ）及び（ｂ）に示すように、支柱本体１０には、その外周面に沿って円環状の係止溝１６が設けられている。係止溝１６は、Ｌ字係止片１７ａとＬ字係止片１７ｂとで構成され、断面がほぼＴ字状に形成されている。
【００４４】
また、図３（ａ）及び（ｃ）に示すように、係止溝１６には、補強部材５０に設けられたＴ字型係止爪（詳細は後述する）が挿入される挿入部１８が設けられている。
【００４５】
図４は、補強部材を分解した正面図及び補強部材の要部の正面図である。補強部材５０は、複数の水平部材５１と垂直部材５２とを格子状に連結したものである。水平部材５１は、水平方向に配設される棒状の部材であり、垂直部材５２は、水平部材５１に対して直交して配設される棒状の部材である。
【００４６】
本実施形態では、３本の水平部材５１がほぼ等間隔に並ぶように、各水平部材５１を各４本の垂直部材５２で連結して一体の補強部材５０Ａ、５０Ｂとしてある。そして、これらの補強部材５０Ａ、５０Ｂを連結部材５３で連結して、一連の補強部材５０としてある。連結部材５３は、水平部材５１が嵌合する連結穴５４が設けられた円筒状の部材である。補強部材５０Ａ、５０Ｂのそれぞれの水平部材５１が各連結部材５３の連結穴５４に嵌合することで、各水平部材５１は連結されている。
【００４７】
また、補強部材５０の各水平部材５１には、連結部材５３に嵌合される一端とは反対側の他端に、Ｔ字型係止爪５５が形成されている。
【００４８】
図５を用いて、Ｔ字型係止爪５５による補強部材５０と支柱本体１０との接続について説明する。図５は、支柱本体及び補強部材の上面図及びその断面図である。
【００４９】
図５（ａ）に示すように、補強部材５０を支柱本体１０に接続するときは、水平部材５１のＴ字型係止爪５５を係止溝１６の挿入部１８に挿入する。そして、図５（ｂ）に示すように、支柱本体１０を中心として水平部材５１（補強部材５０）を回動することで、Ｔ字型係止爪５５がＬ字係止片１７ａ、１７ｂにより係止される。
【００５０】
このように、接続部１５を介して支柱本体１０と水平部材５１（補強部材５０）とを接続することで、２本の支柱本体１０が補強部材５０によって連結される。これにより、支柱本体１０を安定的に床などに設置することができる。
【００５１】
さらに、水平部材５１（補強部材５０）は、支柱本体１０を中心として回動可能であるので、２本の支柱本体１０がどの様な配置であろうとも、これら２本の支柱本体１０を連結することができる。すなわち、図１に示したように、養生シート４０を折り曲げて配置するために複数の支柱本体１０を非直線状に並べた場合であっても、補強部材５０はこれらの支柱本体１０を連結することができる。
【００５２】
図６は、可動支柱に取り付けられる保持部材の概略斜視図であり、図７は、養生シートを保持する保持部材の側面図である。
【００５３】
図６に示すように、保持部材３０は、支柱本体１０Ａの一本の可動支柱２０と、支柱本体１０Ｂの一本の可動支柱２０の先端部に支持されている。具体的には、保持部材３０の下面（天井とは反対側）には、両端部に挿入孔３１が設けられている。一方、可動支柱２０の先端（天井側）には、挿入孔３１に挿入される挿入部２１が設けられている。保持部材３０は、可動支柱２０の各挿入部２１が各挿入孔３１に挿入されることで、可動支柱２０に保持される。
【００５４】
上述したように、可動支柱２０は、天井に対して接近又は離隔するように移動可能である。したがって、可動支柱２０に保持された保持部材３０も可動支柱２０の移動にともない天井に対して接近又は離隔することが可能となっている。
【００５５】
図６及び図７（ａ）に示すように、保持部材３０は、養生シート４０を挟持する第１挟持部材３２及び第２挟持部材３３から構成されている。第１挟持部材３２及び第２挟持部材３３は何れも長尺状に形成され、ほぼ同じ長さに形成されている。第１挟持部材３２は、天井側に位置し、第２挟持部材３３は、可動支柱２０側に位置する。第１挟持部材３２は、蝶番３４で第２挟持部材３３に接続されており、蝶番３４を中心に回動可能となっている。
【００５６】
図７（ｂ）に示すように、第２挟持部材３３の上面に養生シート４０の上端部４０ａが配置された状態で、第１挟持部材３２が閉じることで、養生シート４０は、第１挟持部材３２及び第２挟持部材３３により挟持される。
【００５７】
このように養生シート４０を挟持した状態で保持部材３０が天井側に接触することで、養生シート４０を天井から吊り下げることができる（図１参照）。
【００５８】
また、第１挟持部材３２の上面には、緩衝材３５が設けられている。緩衝材３５としては、ゴムなどの弾力があるものや、ポリウレタンなどの柔軟性がある材料を用いることができる。第１挟持部材３２の上面は、天井との接触面になるため、このような緩衝材３５を設けることで、天井を保護することができる。また、緩衝材３５が天井面に段差や傾斜を吸収するので、保持部材３０を天井面に密着させることができる。
【００５９】
図８（ａ）は、昇降部材の側面図であり、図８（ｂ）は、補強部材及び保持部材に取り付けた昇降部材の側面図である。
【００６０】
図８（ａ）に示すように、昇降部材６０は、外筒６１と、内筒６２を有している。内筒６２は、外筒６１の内側に収容されており、外筒６１から出し入れが可能となっている。また、外筒６１と内筒６２には、これらを固定する固定機構６３が設けられている。
【００６１】
固定機構６３は、内筒６２を外筒６１に固定するものである。固定機構６３は、特に図示しないが、円筒状の内面にネジが設けられ、外筒６１の外周面に設けられたネジ山に螺合するようになっている。外筒６１から固定機構６３を緩めた状態では、内筒６２は外筒６１から自由に出し入れが可能となっている。
【００６２】
固定機構６３を外筒６１に螺合すると、固定機構６３内部に設けたゴムなどの弾性材料等が内筒６２の外周を押圧するように構成されている。このように弾性材料が内筒６２の外周を押圧することで、外筒６１に対して内筒６２が固定される。
【００６３】
このように、内筒６２を外筒６１から適宜引き出し、固定機構６３で固定することで、昇降部材６０を任意の長さに調節することができる。
【００６４】
なお、固定機構６３は上述したような構成に限定されない。例えば、ネジなどの締結部材で外筒６１と内筒６２とを固定してもよい。また、内筒６２を複数本継ぎ足すことで昇降部材６０の長さを調整してもよい。
【００６５】
また、昇降部材６０の下部には、取付部６４が設けられている。取付部６４は、補強部材５０の水平部材５１の外周面に合わせた形状を有している。ここでは、水平部材５１を円柱状としたので、取付部６４は、断面形状が半弧形状となっている。図８（ｂ）に示すように、取付部６４は、最下段の水平部材５１の上面に載置される。
【００６６】
さらに、図８（ａ）に示すように、昇降部材６０の上部には、固定部６５が設けられている。固定部６５には、溝状に開口した収容部６６が設けられている。図８（ｂ）に示すように、収容部６６には、保持部材３０が収容される。
【００６７】
このような構成の昇降部材６０は、取付部６４を水平部材５１に取り付け、固定部６５を保持部材３０に固定した状態で、その長さを伸張することで、保持部材３０を天井面に接触させることができる。
【００６８】
図９は、養生シート４０を供給するシート供給装置の側面図である。図示するように、養生シート４０は、軸７３を中心に巻回されて養生シートロール４１を形成している。シート供給装置７０は、軸７３が回動可能なように支持する支柱７２、及び支柱７２が固定された台座７１を備えている。
【００６９】
養生シート４０（養生シートロール４１）は、支柱本体１０の間隔に合わせた幅に形成されている。養生シート４０の一端を保持部材３０に保持させ、昇降部材６０を用いて（図８参照）保持部材３０を持ち上げる。これにより、軸７３とともに養生シートロール４１が回転し、所定長の養生シート４０を得ることができる。保持部材３０が天井に達したら、養生シート４０を床にテープなどで固定する。もしくは、養生シート４０を養生シートロール４１から切断し、その下端部を床にテープなどで固定してもよい。
【００７０】
このように、シート供給装置７０は、養生シートロール４１を回動可能な状態で支持するので、養生シートロール４１自体の位置がずれたりすることが防止される。また、養生シートロール４１から養生シート４０を取り出す作業を容易にすることができる。
【００７１】
ここで、上述した構成の養生シート設置器具１の使用方法について説明する。図１０は、構造物内における保護対象と養生シート設置器具の上面図である。
【００７２】
構造物内には、壁９１の近傍に保護対象１００が設置されている。この保護対象１００を養生シート設置器具１で保護する。
【００７３】
まず、保護対象１００の周囲に、支柱本体１０を設置する。各支柱本体１０の間隔は、保持部材３０、養生シート４０、補強部材５０（図１参照）の幅にあわせる。そして、各支柱本体１０を補強部材５０で連結する。さらに、各支柱本体１０の可動支柱２０に保持部材３０を取り付ける。
【００７４】
上述したように、補強部材５０は、支柱本体１０を中心として、回動自在に支柱本体１０に接続可能である。このため、図に例示するように、各支柱本体１０が一直線上に並んでいなくても、これらを補強部材５０で連結することができる。すなわち、養生シート設置器具１は、各支柱本体１０を節として様々な方向に折れ曲がった折れ線状に配置することができる。
【００７５】
また、１本の支柱本体１０には２本の可動支柱２０が設けられ、その各可動支柱２０には別の支柱本体１０の可動支柱２０との間で保持部材３０が設けられる。このような構成とすることで、折れ線状に配置された支柱本体１０及び補強部材５０と同様に、保持部材３０も折れ線状に配置することができる。さらに、１本の支柱本体１０に２本（複数）の可動支柱２０を設けることで、養生シート４０を折り曲げる部分に配置する支柱本体１０の使用数を低減することができる。
【００７６】
次に、保持部材３０を最も下げた状態にして、保持部材３０に養生シート４０を取り付ける。例えば、２つの支柱本体１０の間に、図９に示したシート供給装置７０を配置し、養生シート４０の一端を保持部材３０に保持させる。
【００７７】
そして、図１１に示すように、昇降部材６０を用いて、保持部材３０を天井面に接触させる。図１１は、養生シート設置器具の斜視図である。
【００７８】
まず、作業員は、昇降部材６０を保持部材３０及び水平部材５１に取り付ける。すなわち、昇降部材６０の下部を取付部６４（図８参照）で水平部材５１に取り付け、上部を固定部６５（図８参照）で保持部材３０に固定する。
【００７９】
次に、作業員は、保持部材３０が天井面に接触するまで昇降部材６０を伸張する。すなわち、固定機構６３（図８参照）を緩めた状態で内筒６２（図８参照）を伸張することで、保持部材３０を天井に接するまで持ち上げる。このとき、昇降部材６０の伸張に伴い、可動支柱２０も天井方向に移動する。
【００８０】
そして、作業員は、固定機構６３を締めることで内筒６２を外筒６１に固定し、長さを固定する。これにより、保持部材３０を天井に接した状態で保持することができる。なお、昇降部材６０を収縮させれば、保持部材３０を作業員の手元に戻し、養生シート４０を取り外すことができる。
【００８１】
このように昇降部材６０を用いることで、脚立などを用いて作業員が高所で作業をしなくても、保持部材３０を天井面に接触させ、養生シート４０を天井から床まで隙間なく配置することができる。
【００８２】
一組の支柱本体１０の間に養生シート４０を取り付けたら、他の一組の支柱本体１０の間に順次養生シート４０を取り付ける。ここで、天井９０に段差が有る場合においても、その境界に支柱本体１０を設置することで、この段差に対応することができる。すなわち、その支柱本体１０は、２つの保持部材３０を保持しており、各保持部材３０は個別に高さ調整が可能だからである。
【００８３】
以上に説明したように、本実施形態に係る養生シート設置器具１は、保護対象１００の形状や通路などに合わせて養生シート４０を折り曲げて配置することができる。図１０に示した例では、折れ線状に折れ曲がった状態で、保護対象１００を養生シート４０で保護することができる。また、天井面に段差があっても、これらの段差に対応して隙間なく養生シート４０を設置することができる。このように、養生シート設置器具１は、保護対象１００の形状、配置、天井の段差など、様々な状況に対応して養生シート４０を設置できるという配置の柔軟性を有する。
【００８４】
昇降部材６０やシート供給装置７０を用いることで、脚立などの器具を用いることなく、天井まで養生シート４０を設置させることができる。これにより、養生シート４０の取り付けに掛かる時間や手間を低減することができる。
【００８５】
養生シート設置器具１の厚さ（奥行き幅）は、支柱本体１０の幅であるので、省スペースである。したがって、脚立などを用いるスペースが確保できないような狭隘な場所でも養生シート４０を設置することが可能である。
【００８６】
また、各支柱本体１０の間に補強部材５０を設け、補強部材５０と保護対象１００との間に養生シート４０が位置するようにした。このような配置とすることで、養生シート４０に作業員や工具等が接触する可能性を低減でき、養生シート４０の損傷を防ぐことができる。
【００８７】
さらに、養生シート４０を補強部材５０にテープや紐などで固定することも可能である。養生シート４０を補強部材５０に固定することで、養生シート４０が膨れて隙間ができることを防止することができる。
【００８８】
なお、養生シート設置器具１を構成する各部材の材質は、特に限定されないが、プラスチックを用いることが好ましい。プラスチックを用いることで、養生シート設置器具１が軽量化され、運搬時の作業性を向上することができる。
【産業上の利用可能性】
【００８９】
本発明は、既設機器・設備や建物仕上げ材・什器類を事前に養生したり、それらの設備等を区画する作業を行う産業において利用することができる。
【符号の説明】
【００９０】
１     養生シート設置器具
１０   支柱本体
１５   接続部
１６   係止溝
２０   可動支柱
３０   保持部材
３５   緩衝材
４０   養生シート
５０   補強部材
５１   水平部材
５２   垂直部材
６０   昇降部材
７０   シート供給装置
１００ 保護対象
【図１】
0005623467.tif 000002
【図２】
0005623467.tif 000003
【図３】
0005623467.tif 000004
【図４】
0005623467.tif 000005
【図５】
0005623467.tif 000006
【図６】
0005623467.tif 000007
【図７】
0005623467.tif 000008
【図８】
0005623467.tif 000009
【図９】
0005623467.tif 000010
【図１０】
0005623467.tif 000011
【図１１】
0005623467.tif 000012